(57)【要約】【課題】  バックライトからの光の利用効率の向上と色再現性の拡大とを両立可能な電気光学装置を提供すること。【解決手段】  電気光学装置は、複数の画素が配列された表示領域と、バックライトユニット４０と、を備える。画素は、光透過特性が異なる４種類のカラーフィルタを含んで構成される。４種類のカラーフィルタのうち２種類を第１フィルタ群とし、残る２種類を第２フィルタ群とし、バックライトユニット４０は、面状導光板４１と、輝度特性が異なる第１サブ光源４２および第２サブ光源４３と、を備える。面状導光板４１は、第１サブ光源４２から射出された光を第１フィルタ群に導く第１導光部４４と、第２サブ光源４３から射出された光を第２フィルタ群に導く第２導光部４５と、を備える。【選択図】        図４
2006323332.tif 000002
【特許請求の範囲】
【請求項１】
複数の画素が配列された表示部と、光源と、当該光源から射出された光を前記画素に導く導光部と、を備え、前記画素は、光透過特性が異なる複数のカラーフィルタから構成される電気光学装置であって、
前記複数のカラーフィルタが第１フィルタ群と第２フィルタ群とに分けて設けられ、
前記光源は、輝度特性が異なる第１サブ光源および第２サブ光源を備え、
前記導光部は、前記第１サブ光源から射出された光を前記第１フィルタ群に導く第１導光部と、前記第２サブ光源から射出された光を前記第２フィルタ群に導く第２導光部と、を備えることを特徴とする電気光学装置。
【請求項２】
請求項１に記載の電気光学装置において、
前記第１フィルタ群は、行または列毎に、赤のカラーフィルタと、緑のカラーフィルタとで構成され、
前記第２フィルタ群は、行または列毎に、赤、緑、および青のうちいずれかの補色のカラーフィルタと、青のカラーフィルタとで構成され、
前記第１サブ光源は、赤色光および緑色光を射出し、前記第２サブ光源は、青色光および前記補色の光を射出することを特徴とする電気光学装置。
【請求項３】
請求項１または２に記載の電気光学装置において、
前記導光部は、略矩形状であり、
前記第１サブ光源および前記第２サブ光源は、前記導光部の互いに対向する２辺に沿って設けられ、
前記導光部は、前記第１サブ光源から射出された光を前記第１フィルタ群に導く第１導光部と、前記第２サブ光源から射出された光を第２フィルタ群に導く第２導光部と、を有し、
前記第１導光部は、前記第１サブ光源に沿って延びる第１主導光部と、この第１主導光部に対して直交方向に所定間隔おきに延びる複数の第１副導光部と、を備え、
前記第２導光部は、前記第２サブ光源に沿って延びる第２主導光部と、この第２主導光部に対して直交方向に所定間隔おきに延びる複数の第２副導光部と、を備え、
前記第１導光部の第１副導光部同士の間には、前記第２導光部の第２副導光部が配置され、前記第２導光部の第２副導光部同士の間には、前記第１導光部の第１副導光部が配置されて、前記第１導光部と前記第２導光部とが組み合わされることを特徴とする電気光学装置。
【請求項４】
請求項１に記載の電気光学装置において、
前記第１フィルタ群は、赤、緑、および青のカラーフィルタのうち２つで構成され、前記第２フィルタ群は、残る１つのカラーフィルタで構成され、
前記第１サブ光源は、赤色光、緑色光、および青色光のうち２つを射出し、前記第２サブ光源は、残る１つを射出することを特徴とする電気光学装置。
【請求項５】
請求項１に記載の電気光学装置において、
前記第１導光部に設けられ前記第１フィルタ群の光透過特性に応じた所定の波長帯域の光量を検出する第１検出手段と、
前記第２導光部に設けられ前記第２フィルタ群の光透過特性に応じた所定の波長帯域の光量を検出する第２検出手段と、を備えることを特徴とする電気光学装置。
【請求項６】
請求項５に記載の電気光学装置において、
前記第１フィルタ群は、行または列毎に、赤のカラーフィルタと、緑のカラーフィルタとで構成され、
前記第２フィルタ群は、行または列毎に、赤、緑、および青のうちいずれかの補色のカラーフィルタと、青のカラーフィルタとで構成され、
前記第１サブ光源は、赤色光および緑色光を射出し、前記第２サブ光源は、青色光および前記補色の光を射出し、
前記第１検出手段は、赤色光および緑色光の波長帯域の光量を検出し、前記第２検出手段は、青色光および前記補色の光の波長帯域の光量を検出し、
前記第１検出手段で検出された光量に基づいて、前記第１サブ光源を制御し、前記第２検出手段で検出された光量に基づいて、前記第２サブ光源を制御する制御手段を備えることを特徴とする電気光学装置。
【請求項７】
請求項１から６のいずれかに記載の電気光学装置を備えたことを特徴とする電子機器。
【請求項８】
光源と、当該光源から射出された光を画素に導く導光部と、を備える照明装置であって、
前記光源は、輝度特性が異なる第１サブ光源および第２サブ光源を備え、
前記導光部は、前記第１サブ光源から射出された光を導く第１導光部と、前記第２サブ光源から射出された光を導く第２導光部と、を備え、
前記導光部は、略矩形状であり、
前記第１サブ光源および前記第２サブ光源は、前記導光部の互いに対向する２辺に沿って設けられることを特徴とする照明装置。
【発明の詳細な説明】
【技術分野】
【０００１】
本発明は、例えば、電気光学装置および電子機器に関する。
【背景技術】
【０００２】
従来より、液晶表示装置等の電気光学装置が知られている。この電気光学装置は、例えば、第１の基板と、この第１の基板に対向して設けられた第２の基板と、第１の基板と第２の基板との間に設けられた液晶と、第１の基板と第２の基板とは反対側に設けられた導光板と、この導光板に取り付けられたバックライトと、を備える。
第１の基板は、複数の走査線、複数のデータ線、ならびに、走査線およびデータ線の交差に対応して設けられた複数の画素回路を有する。また、第２の基板の第１の基板側には、共通電極が設けられている。これら走査線、データ線、画素回路、および共通電極は、制御回路に接続されている（特許文献１参照）。
【０００３】
以上のような電気光学装置では、例えば、第２の基板の第１基板側には、複数の画素が配列されて構成された表示領域が形成されている。各画素は、それぞれ赤（Ｒ）、緑（Ｇ）、青（Ｂ）のカラーフィルタを含むサブ画素が配列されて構成される。
【０００４】
図２３は、従来例に係るカラーフィルタの光透過性を示す図である。
各カラーフィルタは、特定波長の光を通過させるとともに、その他の波長の光を減衰させる。国際照明委員会（ＣＩＥ）では、赤色光として７００．０ｎｍ、緑色光として５４６．１ｎｍ、青色光として４３５．８ｎｍを、それぞれピークとして透過する特性が採用されている。そのため、カラーフィルタは、それぞれ、赤色光の７００．０ｎｍ、緑色光の５４６．１ｎｍ、青色光の４３５．８ｎｍ程度の波長付近の光を通過させ、その他の波長の光をできるだけ減衰するように設計される。
【０００５】
また、バックライトは、例えば、冷陰極蛍光管（ＣＣＦＬ）やＬＥＤ（発光ダイオード）で構成され、所定の輝度特性で光を射出する。
図２４は、３色ＬＥＤの輝度特性を示す図である。３色ＬＥＤは、具体的には、赤（Ｒ）、緑（Ｇ）、青（Ｂ）の３種類のＬＥＤで構成される。
図２５は、冷陰極蛍光管の輝度特性を示す図である。冷陰極蛍光管は、具体的には、赤色光、緑色光、および青色光を射出するように蛍光体が塗布された三波長蛍光管である。
図２４、２５に示すように、バックライトは、国際照明委員会（ＣＩＥ）の規格に従って、７００．０ｎｍ、５４６．１ｎｍ、および４３５．８ｎｍの近傍に輝度ピークが生じるように設計される。
【０００６】
上述の電気光学装置によれば、バックライトから所定の輝度特性で光を射出すると、この光は、導光板内で拡散されて、制御回路で制御された液晶シャッタを通過した後、表示領域全面に照射される。表示領域の各画素に入射した光は、カラーフィルタを所定の光透過特性に従って通過して、サブ画素から射出される。したがって、できるだけ自然に近い色を表示するためには、バックライトとカラーフィルタとのバランスが重要であるといえる。
【特許文献１】特開２０００−２８９８４号公報
【発明の開示】
【発明が解決しようとする課題】
【０００７】
ところで、上述した電気光学装置では、赤（Ｒ）、緑（Ｇ）、青（Ｂ）に放射輝度ピークを生じるような３色ＬＥＤや冷陰極蛍光管をバックライトとして用いており、各カラーフィルタは、赤（Ｒ）、緑（Ｇ）、青（Ｂ）の３種類のうちのいずれかのみを利用するため、面積換算すると、バックライトの光の利用効率は、略１／３であった。そのため、以上の電気光学装置では、バックライトの光の利用効率が低い、という課題があった。
【０００８】
図２６は、上述の３色ＬＥＤをバックライトとして用いた場合の各サブ画素の輝度特性である。
図２７は、上述の冷陰極蛍光管をバックライトとして用いた場合の各サブ画素の輝度特性である。
また、各カラーフィルタは、実際には、図２６、２７に示すように、不要な波長の光を減衰しても、完全に遮断するわけではない。例えば、赤（Ｒ）のカラーフィルタは、青色である４３５．８ｎｍ近傍の波長の光もわずかに透過する。つまり、赤（Ｒ）のカラーフィルタから青色光が抜けてしまう。そのため、赤（Ｒ）のサブ画素からは、赤色光とともにわずかに青色光が混合されて射出されることになる。
また、同様に、青（Ｂ）のカラーフィルタから赤色光が抜けてしまい、青（Ｂ）のサブ画素からも、青色光とともにわずかに赤色光が混合されて射出される。よって、各色の色純度が低下し、色の再現性が低下する、という課題があった。
【０００９】
本発明の目的は、バックライトからの光の利用効率の向上と色再現性の拡大とを両立可能な電気光学装置および電子機器を提供することである。
【課題を解決するための手段】
【００１０】
本発明の電気光学装置は、複数の画素が配列された表示部と、光源と、当該光源から射出された光を前記画素に導く導光部と、を備え、前記画素は、光透過特性が異なる複数のカラーフィルタから構成される電気光学装置であって、前記複数のカラーフィルタが第１フィルタ群と第２フィルタ群とに分けて設けられ、前記光源は、輝度特性が異なる第１サブ光源および第２サブ光源を備え、前記導光部は、前記第１サブ光源から射出された光を前記第１フィルタ群に導く第１導光部と、前記第２サブ光源から射出された光を前記第２フィルタ群に導く第２導光部と、を備えることを特徴とする。
【００１１】
この発明によれば、第１フィルタ群を構成するカラーフィルタには、第１サブ光源から射出された光のみが入射し、第２フィルタ群を構成するカラーフィルタには、第２サブ光源から射出された光のみが入射する。
【００１２】
よって、第１フィルタ群を透過する光の割合が多くなるように、第１サブ光源の輝度特性を設定し、第２フィルタ群を透過する光の割合が多くなるように、第２サブ光源の輝度特性を設定するだけで、各カラーフィルタにおいて減衰または遮断される光を削減し、バックライトの光の利用効率を向上させて、消費電力を削減できる。
例えば、従来の電気光学装置では、各カラーフィルタに赤（Ｒ）、緑（Ｇ）、青（Ｂ）の３種類のうちのいずれかのみを利用するので、バックライトでの光の利用効率は、面積換算では略１／３であった。しかしながら、本発明では、各フィルタ群を構成するカラーフィルタの種類を適宜調整して、バックライトの光の利用効率を向上できる。
【００１３】
また、第１フィルタ群を構成する種類のカラーフィルタが、残る種類の光をある程度透過する特性であっても、この残る種類の光は、物理的に第１フィルタ群に入射することはないので、第１フィルタ群を構成するカラーフィルタから残る種類の光が射出されることはない。第２フィルタ群についても、同様である。よって、各カラーフィルタの光透過特性にかかわらず、混色を抑えて色再現性を向上できる。
【００１４】
本発明の電気光学装置では、前記第１フィルタ群は、行または列毎に、赤のカラーフィルタと、緑のカラーフィルタとで構成され、前記第２フィルタ群は、行または列毎に、赤、緑、および青のうちいずれかの補色のカラーフィルタと、青のカラーフィルタとで構成され、前記第１サブ光源は、赤色光および緑色光を射出し、前記第２サブ光源は、青色光および前記補色の光を射出することが好ましい。
【００１５】
ここで、赤、緑、および青のうちいずれかの補色としては、例えば、青および緑の加法混色でありかつ赤の補色であるシアンが挙げられる。
この発明によれば、第１フィルタ群を透過する赤色光や緑色光を第１サブ光源から射出し、第２フィルタ群を透過する青色光や補色の光を第２サブ光源から射出したので、光の利用効率が略１／２になり、バックライトの光の利用効率を向上させて、消費電力を削減できる。
【００１６】
また、青色光や補色の光は、物理的に第１フィルタ群に入射することはないので、第１フィルタ群を構成する赤（Ｒ）や緑（Ｇ）のカラーフィルタから、青色光や補色の光が射出されることはない。同様に、第２フィルタ群を構成する青（Ｂ）や補色のカラーフィルタから、赤色光や緑色光が射出されることはない。よって、各カラーフィルタの光透過特性にかかわらず、混色を抑えて各色の色純度を向上できる。
【００１７】
本発明の電気光学装置では、前記導光部は、略矩形状であり、前記第１サブ光源および前記第２サブ光源は、前記導光部の互いに対向する２辺に沿って設けられ、前記導光部は、前記第１サブ光源から射出された光を前記第１フィルタ群に導く第１導光部と、前記第２サブ光源から射出された光を第２フィルタ群に導く第２導光部と、を有し、前記第１導光部は、前記第１サブ光源に沿って延びる第１主導光部と、この第１主導光部に対して直交方向に所定間隔おきに延びる複数の第１副導光部と、を備え、前記第２導光部は、前記第２サブ光源に沿って延びる第２主導光部と、この第２主導光部に対して直交方向に所定間隔おきに延びる複数の第２副導光部と、を備え、前記第１導光部の第１副導光部同士の間には、前記第２導光部の第２副導光部が配置され、前記第２導光部の第２副導光部同士の間には、前記第１導光部の第１副導光部が配置されて、前記第１導光部と前記第２導光部とが組み合わされることが好ましい。
【００１８】
本発明の電気光学装置では、前記第１フィルタ群は、赤、緑、および青のカラーフィルタのうち２つで構成され、前記第２フィルタ群は、残る１つのカラーフィルタで構成され、前記第１サブ光源は、赤色光、緑色光、および青色光のうち２つを射出し、前記第２サブ光源は、残る１つを射出することが好ましい。
【００１９】
この発明によれば、光の利用効率は略１／２または略１／１になるので、バックライトの光の利用効率を向上させて、消費電力を削減できる。また、各カラーフィルタの光透過特性にかかわらず、混色を抑えて各色の色純度を向上できる。
【００２０】
本発明の電気光学装置では、前記第１導光部に設けられ前記第１フィルタ群の光透過特性に応じた所定の波長帯域の光量を検出する第１検出手段と、前記第２導光部に設けられ前記第２フィルタ群の光透過特性に応じた所定の波長帯域の光量を検出する第２検出手段と、を備えることが好ましい。
【００２１】
従来より、表示色のバランスを適正に維持するため、バックライトに光量を検出する光センサを取り付け、この光センサで検出された光量に基づいて、バックライトをフィードバック制御する方法が知られている。
この場合、光センサとしては、表示色の全ての色の波長帯域を検出するものが用いられる。すなわち、赤（Ｒ）、緑（Ｇ）、青（Ｂ）の３色のカラーフィルタを用いる場合には、これら３色の波長帯域を全て検出する光センサを用いる。
しかしながら、上述した方法に従って、第１導光部および第２導光部に上述の光センサを設けても、第１フィルタ群と第２フィルタ群とでは光透過特性が異なるため、つまり、表示色が異なるため、第１導光部で検出する必要がある波長帯域と、第２導光部で検出する必要がある波長帯域とは、異なる。そのため、上述の光センサはオーバースペックであり、コスト高を招くおそれがあった。
そこで、この発明によれば、第１フィルタ群の光透過特性に応じた所定の波長帯域の光量を検出する第１検出手段と、第２フィルタ群の光透過特性に応じた所定範囲の波長帯域の光量を検出する第２検出手段と、を設けた。つまり、各フィルタ群に対応した所定の波長帯域を検出する検出手段を設けた。そのため、検出手段の機能がオーバースペックとならず、コストを低減できる。
【００２２】
本発明の電気光学装置では、前記第１フィルタ群は、行または列毎に、赤のカラーフィルタと、緑のカラーフィルタとで構成され、前記第２フィルタ群は、行または列毎に、赤、緑、および青のうちいずれかの補色のカラーフィルタと、青のカラーフィルタとで構成され、前記第１サブ光源は、赤色光および緑色光を射出し、前記第２サブ光源は、青色光および前記補色の光を射出し、前記第１検出手段は、赤色光および緑色光の波長帯域の光量を検出し、前記第２検出手段は、青色光および前記補色の光の波長帯域の光量を検出し、前記第１検出手段で検出された光量に基づいて、前記第１サブ光源を制御し、前記第２検出手段で検出された光量に基づいて、前記第２サブ光源を制御する制御手段を備えることが好ましい。
【００２３】
この発明によれば、第１検出手段により、第１サブ光源から射出される赤色光および緑色光の波長帯域の光量を検出し、第２検出手段により、第２サブ光源から射出される青色光および補色の光の波長帯域の光量を検出し、これら第１および第２検出手段で検出された光量に基づいて、第１および第２サブ光源を制御した。したがって、光源の周囲温度や光源自体の発熱により、光源の特性が変化しても、この特性の変化を検出してフィードバック制御できるから、表示色のバランスを適正に維持できる。
【００２４】
本発明の電子機器は、上述した電気光学装置を備えたことを特徴とする。
【００２５】
本発明の照明装置は、光源と、当該光源から射出された光を画素に導く導光部と、を備える照明装置であって、前記光源は、輝度特性が異なる第１サブ光源および第２サブ光源を備え、前記導光部は、前記第１サブ光源から射出された光を導く第１導光部と、前記第２サブ光源から射出された光を導く第２導光部と、を備え、前記導光部は、略矩形状であり、前記第１サブ光源および前記第２サブ光源は、前記導光部の互いに対向する２辺に沿って設けられることを特徴とする。
【００２６】
この発明によれば、所定のカラーフィルタから構成される画素には、第１サブ光源から射出された光のみが入射し、その他のカラーフィルタから構成される画素には、第２サブ光源から射出された光のみが入射する。よって、各カラーフィルタにおいて減衰または遮断される光を削減し、バックライトの光の利用効率を向上させて、消費電力を削減できる。
【００２７】
また、第１サブ光源からの光が入射する画素には、第２サブ光源からの光が入射することはない。また、第２サブ光源からの光が入射する画素には、第１サブ光源からの光が入射することはない。よって、画素を構成するカラーフィルタの光透過特性にかかわらず、混色を抑えて色再現性を向上できる。
【発明を実施するための最良の形態】
【００２８】
以下、本発明の実施形態を図面に基づいて説明する。なお、以下の実施形態の説明にあたって、同一構成要件については同一符号を付し、その説明を省略もしくは簡略化する。
【００２９】
＜１．第１実施形態＞
図１は、本発明の第１実施形態に係る電気光学装置１の全体構成を示す斜視図であり、図２は、図１のＺ−Ｚ´断面図である。
電気光学装置１は、画素電極１１等が形成された素子基板１０と、この素子基板１０に対向配置されかつ共通電極２１等が形成された対向基板２０と、素子基板１０および対向基板２０の間に設けられた電気光学物質としての液晶３０と、素子基板１０の下側（対向基板２０とは反対側）に設けられて液晶３０に光を照射するバックライトユニット４０と、を有する。
素子基板１０は、ガラスや半導体等で形成され、この素子基板１０上には、ＴＦＴ（Thin  Film  Transistor：薄膜トランジスタ）を用いて各種の回路等が形成される。また、対向基板２０は、ガラス等の透明性の材料で形成される。
【００３０】
対向基板２０の外周部には、素子基板１０および対向基板２０の間隙を封止するシール部材３２が設けられている。このシール部材３２は、素子基板１０および対向基板２０とともに、液晶３０が封入される空間を形成する。シール部材３２には、素子基板１０および対向基板２０の間隔を保持するため、スペーサ３３が混入されている。なお、シール部材３２には、液晶３０を封入するための開口部が形成されており、この開口部は、液晶３０の封入後に封止材３４で封止されている。
【００３１】
ここで、素子基板１０の対向基板２０側の表面であって、シール部材３２の一辺の外側には、Ｘ方向に延在する、データ線を駆動するデータ線駆動回路２００が形成されている。さらに、この一辺には複数の接続電極２０１が形成されて、この接続電極２０１を通して図示しない制御回路からの各種信号や画像信号が入力される。また、シール部材３２の前記一辺の両側の辺には、Ｙ方向に延在する、走査線を駆動する走査線駆動回路１００が形成されている。
【００３２】
対向基板２０の表面には、表示部としての表示領域２２が形成されている。なお、図示しないが、この表示領域２２の後述するカラーフィルタ２４Ｒ、２４Ｇ、２４Ｂ、２４Ｃ同士の隙間や表示領域２２の周囲は、ブラックマトリクスが形成され、外光の入射が防止されている。
また、以上のカラーフィルタおよびブラックマトリクス上には、図示しない保護膜が形成され、この保護膜上に共通電極２１が形成される。この共通電極２１は、素子基板１０の四隅のうち、少なくとも１箇所において設けられた導通材を介して、素子基板１０と電気的に導通している。また、素子基板１０および対向基板２０の対向面側には、それぞれ、所定の方向にラビング処理された配向膜等が設けられ、それぞれの背面側には、配向方向に応じた偏光板が設けられる。
【００３３】
図３は、表示領域２２の概略平面図である。
表示領域２２は、複数の画素２３が配列されて構成され、各画素２３は、赤（Ｒ）、緑（Ｇ）、青（Ｂ）およびシアン（Ｃ）の光透過特性が異なる４種類のカラーフィルタ２４Ｒ、２４Ｇ、２４Ｂ、２４Ｃを含んで構成される。具体的には、各画素２３は、これらカラーフィルタ２４Ｒ、２４Ｂ、２４Ｇ、２４Ｃが、略田の字状に配列されて構成される。なお、赤（Ｒ）の補色であるシアン（Ｃ）のカラーフィルタ２４Ｃの代わりに、緑（Ｇ）および青（Ｂ）のうちいずれかの補色のカラーフィルタを含んで構成してもよい。
【００３４】
ここで、４種類のカラーフィルタを第１フィルタ群６１と第２フィルタ群６２とに分ける。つまり、赤（Ｒ）および緑（Ｇ）のカラーフィルタ２４Ｒ、２４Ｇを第１フィルタ群６１とし、青（Ｂ）およびシアン（Ｃ）のカラーフィルタ２４Ｂ、２４Ｃを第２フィルタ群６２とする。すると、各画素２３において、第１フィルタ群６１および第２フィルタ群６２は、図３中上下方向に交互に配置される。
【００３５】
また、各第１フィルタ群６１において、赤（Ｒ）および緑（Ｇ）のカラーフィルタ２４Ｒ、２４Ｇは、図３中水平方向に並んで配置されている。具体的には、赤（Ｒ）のカラーフィルタ２４Ｒが左側に配置され、緑（Ｇ）のカラーフィルタ２４Ｇが右側に配置される。なお、これに限らず、赤（Ｒ）のカラーフィルタ２４Ｒを右側に配置し、緑（Ｇ）のカラーフィルタ２４Ｇを左側に配置してもよい。
【００３６】
以上のような第１フィルタ群６１は、表示領域２２において、図３中水平方向に並んで配置されている。これにより、赤（Ｒ）および緑（Ｇ）のカラーフィルタ２４Ｒ、２４Ｇは、図３中水平方向に一直線状に交互に配置されることとなる。つまり、第１フィルタ群６１は、行毎に赤（Ｒ）および緑（Ｇ）のカラーフィルタ２４Ｒ、２４Ｇで構成される。
【００３７】
また、各第２フィルタ群６２において、青（Ｂ）およびシアン（Ｃ）のカラーフィルタ２４Ｂ、２４Ｃは、図３中水平方向に並んで配置されている。具体的には、シアン（Ｃ）のカラーフィルタ２４Ｃが左側に配置され、青（Ｂ）のカラーフィルタ２４Ｂが右側に配置される。なお、これに限らず、シアン（Ｃ）のカラーフィルタ２４Ｃを右側に配置し、青（Ｂ）のカラーフィルタ２４Ｂを左側に配置してもよい。
【００３８】
以上のような第２フィルタ群６２は、表示領域２２において、図３中水平方向に並んで配置されている。これにより、青（Ｂ）およびシアン（Ｃ）のカラーフィルタ２４Ｂ、２４Ｃは、図３中水平方向に一直線状に交互に配置されることとなる。つまり、第２フィルタ群６２は、行毎に青（Ｂ）およびシアン（Ｃ）のカラーフィルタ２４Ｂ、２４Ｃで構成される。
【００３９】
図４は、バックライトユニット４０の構成を示す概略平面図および側面図である。
バックライトユニット４０は、略矩形状の導光部としての面状導光板４１と、この面状導光板４１の互いに対向する図４中水平方向両側の２辺に沿って設けられた第１サブ光源としての第１バックライト４２および第２サブ光源としての第２バックライト４３と、を備える。
なお、図示しないが、面状導光板４１の素子基板１０側には、輝度を向上させるため、プリズムシートが設けられ、このプリズムシート上には、バックライト４２、４３から射出された光を拡散させる拡散板が設けられる。また、面状導光板４１の素子基板１０の反対側には、反射板が設けられる。
【００４０】
第１バックライト４２は、複数の赤（Ｒ）および緑（Ｇ）のＬＥＤ４２１、４２２が交互に配置されて構成される。これにより、第１バックライト４２は、赤色光および緑色光を射出する。
第２バックライト４３は、複数の青（Ｂ）およびシアン（Ｃ）のＬＥＤ４３１、４３２が交互に配置されて構成される。これにより、第２バックライト４３は、青色光およびシアン色光を射出する。
【００４１】
面状導光板４１は、バックライト４２、４３から射出された光を面発光させるものであり、第１バックライト４２から射出された光を第１フィルタ群６１に導く第１導光部４４と、第２バックライト４３から射出された光を第２フィルタ群６２に導く第２導光部４５と、を有する。
【００４２】
第１導光部４４は、第１バックライト４２に沿って図４中上下方向に延びる第１主導光部４４１と、この第１主導光部４４１から図４中水平方向に延びる複数の第１副導光部４４２と、を備える。具体的には、これら第１副導光部４４２は、第１主導光部４４１の延びる方向に対して直交する方向に延びるとともに、所定間隔おきに略平行に設けられる。これにより、第１副導光部４４２は、第１主導光部４４１に対して櫛の歯状に設けられている。
【００４３】
第２導光部４５は、第２バックライト４３に沿って図４中上下方向に延びる第２主導光部４５１と、この第２主導光部４５１から図４中水平方向に延びる複数の第２副導光部４５２と、を備える。具体的には、これら第２副導光部４５２は、第１主導光部４５１の延びる方向に対して直交する方向に延びるとともに、所定間隔おきに略平行に設けられる。これにより、第２副導光部４５２は、第１主導光部４５１に対して櫛の歯状に設けられている。
【００４４】
そして、第１導光部４４の第１副導光部４４２同士の間には、第２導光部４５の第２副導光部４５２が配置され、第２導光部４５の第２副導光部４５２同士の間には、第１導光部４４の第１副導光部４４２が配置されることにより、第１導光部４４と第２導光部４５とが組み合わされて、面状導光板４１を構成する。
【００４５】
図５は、表示領域２２にバックライトユニット４０を重ねた状態を示す概略平面図および側面図である。
第１導光部４４の各第１副導光部４４２は、一直線状に配置された第１フィルタ群６１の裏面に沿って延びている。また、第２導光部４５の第２副導光部４５２は、一直線状に配置された第２フィルタ群６２の裏面に沿って延びている。
【００４６】
以上の電気光学装置１の動作は、以下のようになる。
第１バックライト４２は、赤（Ｒ）および緑（Ｇ）の光を射出する。すると、この光は、面状導光板４１の第１導光部４４に入射し、第１導光部４４の第１主導光部４４１および第１副導光部４４２を通り、液晶３０による液晶シャッタを通過する。その後、この光は、表示領域２２の各画素２３に入射し、第１フィルタ群６１を構成する赤（Ｒ）または緑（Ｇ）のカラーフィルタ２４Ｒ、２４Ｇを透過する。
一方、第２バックライト４３は、青（Ｂ）およびシアン（Ｃ）の光を射出する。すると、この光は、面状導光板４１の第２導光部４５に入射し、第２導光部４５の第２主導光部４５１および第２副導光部４５２を通り、液晶３０による液晶シャッタを通過する。その後、この光は、表示領域２２の各画素２３に入射し、第２フィルタ群６２を構成する青（Ｂ）またはシアン（Ｃ）のカラーフィルタ２４Ｂ、２４Ｃを透過する。
【００４７】
本実施形態によれば、以下のような効果がある。
（１）第１フィルタ群６１を構成する赤（Ｒ）および緑（Ｇ）のカラーフィルタ２４Ｒ、２４Ｇには、第１バックライト４２から射出された光のみが入射し、第２フィルタ群６２を構成する青（Ｂ）およびシアン（Ｃ）のカラーフィルタ２４Ｂ、２４Ｃには、第２バックライト４３から射出された光のみが入射する。
ここで、第１バックライト４２を複数の赤（Ｒ）および緑（Ｇ）のＬＥＤ４２１、４２２で構成し、第２バックライト４３を複数の青（Ｂ）およびシアン（Ｃ）のＬＥＤ４３１、４３２で構成した。これにより、各カラーフィルタ２４Ｒ、２４Ｂ、２４Ｇ、２４Ｃにおいて減衰または遮断される光を削減し、バックライト４２、４３の光の利用効率を略１／２にまで向上させて、消費電力を削減できる。
【００４８】
（２）また、第１フィルタ群６１を構成する赤（Ｒ）および緑（Ｇ）のカラーフィルタ２４Ｒ、２４Ｇが、青色光およびシアン色光をある程度透過する特性であっても、この青色光およびシアン色光は、物理的に第１フィルタ群６１に入射することはないので、第１フィルタ群６１から青色光およびシアン色光が射出されることはない。
また、第２フィルタ群６２を構成する青（Ｂ）およびシアン（Ｃ）のカラーフィルタ２４Ｂ、２４Ｃが、赤色光および緑色光をある程度透過する特性であっても、この赤色光および緑色光は、物理的に第２フィルタ群６２に入射することはないので、第２フィルタ群６２から赤色光および緑色光が射出されることはない。
よって、各カラーフィルタ２４Ｒ、２４Ｂ、２４Ｇ、２４Ｃの光透過特性にかかわらず、混色を抑えて色再現性を向上できる。
【００４９】
＜２．第２実施形態＞
図６は、本発明の第２実施形態に係る表示領域２２Ａの概略平面図である。
本実施形態では、表示領域２２Ａを構成する赤（Ｒ）、緑（Ｇ）、青（Ｂ）およびシアン（Ｃ）の光透過特性が異なる４種類のカラーフィルタ２５Ｒ、２５Ｇ、２５Ｂ、２５Ｃの配置、および、バックライトユニット４０Ａの構成が、第１実施形態と異なる。
【００５０】
すなわち、各画素２３Ａは、カラーフィルタ２５Ｒ、２５Ｂ、２５Ｇ、２５Ｃが、ストライプ状に配列されて構成される。
ここで、赤（Ｒ）および緑（Ｇ）のカラーフィルタ２５Ｒ、２５Ｇを第１フィルタ群６１Ａとし、青（Ｂ）およびシアン（Ｃ）のカラーフィルタ２５Ｂ、２５Ｃを第２フィルタ群６２Ａとする。すると、各画素２３Ａにおいて、第１フィルタ群６１Ａおよび第２フィルタ群６２Ａは、図６中水平方向に配置される。
【００５１】
各第１フィルタ群６１Ａにおいて、赤（Ｒ）および緑（Ｇ）のカラーフィルタ２５Ｒ、２５Ｇは、図６中水平方向に並んで配置されている。具体的には、赤（Ｒ）のカラーフィルタ２５Ｒが左側に配置され、緑（Ｇ）のカラーフィルタ２５Ｇが右側に配置される。なお、これに限らず、赤（Ｒ）のカラーフィルタ２５Ｒを右側に配置し、緑（Ｇ）のカラーフィルタ２５Ｇを左側に配置してもよい。
【００５２】
以上のような第１フィルタ群６１Ａは、表示領域２２Ａにおいて、図６中上下方向に並んで配置されている。これにより、赤（Ｒ）および緑（Ｇ）のカラーフィルタ２５Ｒ、２５Ｇは、図６中上下方向に一直線状に２列配置されることとなる。つまり、第１フィルタ群６１Ａは、列毎に赤（Ｒ）および緑（Ｇ）のカラーフィルタ２５Ｒ、２５Ｇで構成される。
【００５３】
また、各第２フィルタ群６２Ａにおいて、青（Ｂ）およびシアン（Ｃ）のカラーフィルタ２５Ｂ、２５Ｃは、図６中水平方向に並んで配置されている。具体的には、青（Ｂ）のカラーフィルタ２５Ｂが左側に配置され、シアン（Ｃ）のカラーフィルタ２５Ｃが右側に配置される。なお、これに限らず、青（Ｂ）のカラーフィルタ２５Ｂを右側に配置し、シアン（Ｃ）のカラーフィルタ２５Ｃを左側に配置してもよい。
【００５４】
以上のような第２フィルタ群６２Ａは、表示領域２２Ａにおいて、図６中上下方向に並んで配置されている。これにより、青（Ｂ）およびシアン（Ｃ）のカラーフィルタ２５Ｂ、２５Ｃは、図６中上下方向に一直線状に２列配置されることとなる。つまり、第２フィルタ群６２Ａは、列毎に青（Ｂ）およびシアン（Ｃ）のカラーフィルタ２５Ｂ、２５Ｃで構成される。
【００５５】
図７は、バックライトユニット４０Ａの構成を示す概略平面図および側面図である。
バックライトユニット４０Ａは、略矩形状の面状導光板４１と、この面状導光板４１の互いに対向する図７中上下方向両側の２辺に沿って設けられた第１サブ光源としての第１バックライト４２および第２サブ光源としての第２バックライト４３と、を備える。その他、このバックライトユニット４０Ａの具体的な構造は、第１実施形態のバックライトユニット４０と同様である。
【００５６】
図８は、表示領域２２Ａにバックライトユニット４０Ａを重ねた状態を示す概略平面図および側面図である。
第１導光部４４の各第１副導光部４４２は、一直線状に配置された第１フィルタ群６１Ａの裏面に沿って延びている。第２導光部４５の第２副導光部４５２は、一直線状に配置された第２フィルタ群６２Ａの裏面に沿って延びている。
【００５７】
したがって、本実施形態によれば、第１実施形態と同様の効果がある。
【００５８】
＜３．第３実施形態＞
図９は、本発明の第３実施形態に係るバックライトユニット４０Ｂの概略平面図および側面図である。
本実施形態では、第１バックライト４２Ｂおよび第２バックライト４３Ｂの構成が第１実施形態と異なる。
すなわち、第１バックライト４２Ｂは、蛍光体を適宜選択することにより赤色光を射出する円筒状の蛍光管４２１Ｂと、緑色光を射出する円筒状の蛍光管４２２Ｂと、で構成される。第２バックライト４３Ｂは、蛍光体を適宜選択することにより青色光を射出する円筒状の蛍光管４３１Ｂと、シアン色光を射出する円筒状の蛍光管４３２Ｂと、で構成される。これら蛍光管４２１Ｂ、４２２Ｂ、４３１Ｂ、４３２Ｂは、冷陰極蛍光管である。なお、これに限らず、熱陰極蛍光管を用いてもよい。
【００５９】
したがって、本実施形態によれば、第１実施形態と同様の効果がある。
【００６０】
＜４．第４実施形態＞
図１０は、本発明の第４実施形態に係るバックライトユニット４０Ｃの概略平面図および側面図である。
本実施形態では、第１バックライト４２Ｃおよび第２バックライト４３Ｃの構成が第１実施形態と異なる。
すなわち、第１バックライト４２Ｃは、蛍光体を塗り分けることにより赤色光および緑色光を射出する冷陰極蛍光管である。具体的には、第１バックライト４２Ｃは、図１０中上下方向に延びる円筒状であり、赤色に発光する蛍光体が塗布された左側部分と、緑色に発光する蛍光体が塗布された右側部分とに塗り分けられている。
第２バックライト４３Ｃは、蛍光体を塗り分けることにより青色光およびシアン色光を射出する冷陰極蛍光管である。具体的には、第２バックライト４３Ｃは、図１０中上下方向に延びる円筒状であり、青色に発光する蛍光体が塗布された左側部分と、シアン色に発光する蛍光体が塗布された右側部分とに塗り分けられている。
なお、第１バックライト４２Ｃおよび第２バックライト４３Ｃとしては、冷陰極蛍光管に限らず、熱陰極蛍光管を用いてもよい。
【００６１】
したがって、本実施形態によれば、第１実施形態と同様の効果がある。
【００６２】
＜５．第５実施形態＞
図１１は、本発明の第１実施形態に係るバックライトユニット４０を制御する制御回路８０のブロック図である。
【００６３】
制御回路８０は、第１検出手段としての第１センサ７１と、第２検出手段としての第２センサ７２と、コントローラ８１と、ＰＷＭ制御回路８２と、を備える。
【００６４】
図１２は、バックライトユニット４０の第１センサ７１および第２センサ７２が取り付けられた状態を示す概略平面図および側面図である。
第１センサ７１は、図１２に示すように、面状導光板４１の上端の第１導光部４４の表面に設けられ、第１フィルタ群６１の光透過特性に応じた所定の波長帯域の光量を検出する。具体的には、第１センサ７１は、赤色光および緑色光の波長帯域の光量を検出し、検出信号として出力する。
【００６５】
図１３は、第１センサ７１の平面図である。
第１センサ７１は、赤色光を検出する複数の赤色光検出手段としての赤色光センサ７１１と、緑色光を検出する複数の緑色光検出手段としての緑色光センサ７１２とが、２行７列のマトリクス状に交互に配置されて構成される。具体的には、赤色光センサ７１１および緑色光センサ７１２は、行方向および列方向に交互に配置される。赤色光センサ７１１がこのように配置されている理由は、例えば、ある赤色光センサ７１１の表面に塵埃が付着しても、他の赤色光センサ７１１が機能することで、検出精度が低下するのを防ぐためである。なお、緑色光センサ７１２の配置についても、同様の理由である。
【００６６】
第２センサ７２は、図１２に示すように、面状導光板４１の下端の第２導光部４５の表面に設けられ、第２フィルタ群６２の光透過特性に応じた所定範囲の波長帯域の光量を検出する。具体的には、第２センサ７２は、青色光およびシアン色光の波長帯域の光量を検出し、検出信号として出力する。
【００６７】
図１４は、第２センサ７２の平面図である。
第２センサ７２は、青色光を検出する複数の青色光検出手段としての青色光センサ７２１と、シアン色光を検出する複数のシアン色光検出手段としてのシアン色光センサ７２２とが、２行７列のマトリクス状に交互に配置されて構成される。具体的には、青色光センサ７２１およびシアン色光センサ７２２は、行方向および列方向に交互に配置される。青色光センサ７２１およびシアン色光センサ７２２がこのように配置されている理由は、赤色光センサ７１１および緑色光センサ７１２の配置と同様に、検出精度が低下するのを防止するためである。
【００６８】
コントローラ８１は、各色の設定値に基づいて、これら第１センサ７１および第２センサ７２からの検出信号に基づき、制御信号をＰＷＭ制御回路８２に出力する。
具体的には、コントローラ８１には、白（Ｗ）、赤（Ｒ）、緑（Ｇ）、青（Ｂ）、シアン（Ｃ）についての光量の設定値が入力される。
【００６９】
第１バックライト４２は、上述したように、赤色光を射出する赤色光源としてのＬＥＤ４２１と、緑色光を射出する緑色光源としてのＬＥＤ４２２と、を備える。
第２バックライト４３は、青色光を射出する青色光源としてのＬＥＤ４３１と、シアン色光を射出するシアン色光源としてのＬＥＤ４３２と、を備える。
【００７０】
コントローラ８１は、入力された白（Ｗ）、赤（Ｒ）、緑（Ｇ）、青（Ｂ）、シアン（Ｃ）の各色の設定値に基づき、赤（Ｒ）、緑（Ｇ）、青（Ｂ）、シアン（Ｃ）の各色の制御信号を生成し、ＰＷＭ制御回路８２に出力する。このとき、赤色光センサ７１１で検出された赤色光の光量に基づいて、赤（Ｒ）の制御信号を補正し、緑色光センサ７１２で検出された緑色光の光量に基づいて、緑（Ｇ）の制御信号を補正する。また、青色光センサ７２１で検出された青色光の光量に基づいて、青（Ｂ）の制御信号を補正し、シアン色光センサ７２２で検出されたシアン色光の光量に基づいて、シアン（Ｃ）の制御信号を補正する。
【００７１】
ＰＷＭ制御回路８２は、コントローラ８１からの制御信号に基づいてパルス幅を変調することで、ＬＥＤ４２１、４２２、４３１、４３２に流れる電流値を制御する。すなわち、赤（Ｒ）の制御信号に基づいて、赤色光を射出するＬＥＤ４２１の電流値を制御し、緑色の制御信号に基づいて、緑色光を射出するＬＥＤ４２２の電流値を制御する。また、青（Ｂ）の制御信号に基づいて、青色光を射出するＬＥＤ４３１の電流値を制御し、シアン（Ｃ）の制御信号に基づいて、シアン色光を射出するＬＥＤ４３２の電流値を制御する。
【００７２】
すなわち、以上のコントローラ８１およびＰＷＭ制御回路８２は、第１センサ７１で検出された光量に基づいて、第１バックライト４２を制御し、第２センサ７２で検出された光量に基づいて、第２バックライト４３を制御する。具体的には、赤色光センサ７１１で検出された赤色光の光量に基づいて、ＬＥＤ４２１を制御し、緑色光センサ７１２で検出された緑色光の光量に基づいて、ＬＥＤ４２２を制御する。また、青色光センサ７２１で検出された青色光の光量に基づいて、ＬＥＤ４３１を制御し、シアン色光センサ７２２で検出されたシアン色光の光量に基づいて、ＬＥＤ４３２を制御する。
【００７３】
本実施形態によれば、上述した（１）、（２）の効果に加え、以下のような効果がある。
（３）第１フィルタ群６１の光透過特性に応じた所定の波長帯域の光量を検出する第１センサ７１と、第２フィルタ群６２の光透過特性に応じた所定範囲の波長帯域の光量を検出する第２センサ７２と、を設けた。つまり、各フィルタ群６１、６２に対応した所定の波長帯域を検出するセンサ７１、７２を設けた。そのため、光センサの機能がオーバースペックとならず、コストを低減できる。
【００７４】
（４）第１センサ７１により、第１バックライト４２から射出される赤色光および緑色光の波長帯域の光量を検出し、第２センサ７２により、第２バックライト４３から射出される青色光およびシアン色光の波長帯域の光量を検出し、これら第１および第２センサ７１、７２で検出された光量に基づいて、第１および第２バックライト４２、４３を制御した。したがって、バックライト４２、４３の周囲温度やバックライト４２、４３自体の発熱により、バックライト４２、４３の特性が変化しても、この特性の変化を検出してフィードバック制御できるから、表示色のバランスを適正に維持できる。
【００７５】
（５）赤色のＬＥＤ４２１および緑色のＬＥＤ４２２を含んで第１バックライト４２を構成し、青色のＬＥＤ４３１およびシアン色のＬＥＤ４３２を含んで第２バックライト４３を構成し、さらに、これら４色の光源を制御回路８０で個別に制御した。したがって、表示色のバランスを微調整できる。
【００７６】
＜６．第６実施形態＞
図１５は、本発明の第６実施形態に係る表示領域２２Ｅの概略平面図である。
本実施形態では、表示領域２２Ｅを構成する青（Ｂ）、緑（Ｇ）、シアン（Ｃ）および赤（Ｒ）の光透過特性が異なる４種類のカラーフィルタ２６Ｂ、２６Ｇ、２６Ｃ、２６Ｒの配置、バックライトユニット４０Ｅの構成、ならびに、第１センサ７１Ｅおよび第２センサ７２Ｅの構造が、第５実施形態と異なる。
【００７７】
すなわち、各画素２３Ｅは、これらカラーフィルタ２６Ｂ、２６Ｇ、２６Ｃ、２６Ｒが、ストライプ状に配列されて構成される。
ここで、青（Ｂ）および緑（Ｇ）のカラーフィルタ２６Ｂ、２６Ｇを第１フィルタ群６１Ｅとし、シアン（Ｃ）および赤（Ｒ）のカラーフィルタ２６Ｃ、２６Ｒを第２フィルタ群６２Ｅとする。すると、第１フィルタ群６１Ｅおよび第２フィルタ群６２Ｅは、図１５中水平方向に配置される。
【００７８】
各第１フィルタ群６１Ｅにおいて、青（Ｂ）および緑（Ｇ）のカラーフィルタ２６Ｂ、２６Ｇは、図１５中水平方向に並んで配置されている。具体的には、青（Ｂ）のカラーフィルタ２６Ｂが左側に配置され、緑（Ｇ）のカラーフィルタ２６Ｇが右側に配置される。なお、これに限らず、青（Ｂ）のカラーフィルタ２６Ｂを右側に配置し、緑（Ｇ）のカラーフィルタ２６Ｇを左側に配置してもよい。
【００７９】
以上のような第１フィルタ群６１Ｅは、表示領域２２Ｅにおいて、図１５中上下方向に並んで配置されている。これにより、青（Ｂ）および緑（Ｇ）のカラーフィルタ２６Ｂ、２６Ｇは、図１５中上下方向に一直線状に２列配置されることとなる。つまり、第１フィルタ群６１Ｅは、列毎に青（Ｂ）および緑（Ｇ）のカラーフィルタ２６Ｂ、２６Ｇで構成される。
【００８０】
また、各第２フィルタ群６２Ｅにおいて、シアン（Ｃ）および赤（Ｒ）のカラーフィルタ２６Ｃ、２６Ｒは、図１５中水平方向に並んで配置されている。具体的には、シアン（Ｃ）のカラーフィルタ２６Ｃが左側に配置され、赤（Ｒ）のカラーフィルタ２６Ｒが右側に配置される。なお、これに限らず、シアン（Ｃ）のカラーフィルタ２６Ｃを右側に配置し、赤（Ｒ）のカラーフィルタ２６Ｒを左側に配置してもよい。
【００８１】
以上のような第２フィルタ群６２Ｅは、表示領域２２Ｅにおいて、図１５中上下方向に並んで配置されている。これにより、シアン（Ｃ）および赤（Ｒ）のカラーフィルタ２６Ｃ、２６Ｒは、図１５中上下方向に一直線状に２列配置されることとなる。つまり、第２フィルタ群６２Ｅは、列毎にシアン（Ｃ）および赤（Ｒ）のカラーフィルタ２６Ｃ、２６Ｒで構成される。
【００８２】
図１６は、バックライトユニット４０Ｅの構成を示す概略平面図および側面図である。
バックライトユニット４０Ｅは、略矩形状の面状導光板４１と、この面状導光板４１の互いに対向する図１６中上下方向両側の２辺に沿って設けられた第１バックライト４２Ｅおよび第２バックライト４３Ｅと、を備える。その他、このバックライトユニット４０Ｅの具体的な構造は、第１実施形態のバックライトユニット４０と同様である。
【００８３】
第１バックライト４２Ｅは、複数の青（Ｂ）のＬＥＤ４２３および緑（Ｇ）のＬＥＤ４２４が交互に配置されて構成される。これにより、第１バックライト４２Ｅは、青色光および緑色光を射出する。
第２バックライト４３Ｅは、複数の赤（Ｒ）のＬＥＤ４３３およびシアン（Ｃ）のＬＥＤ４３４が交互に配置されて構成される。これにより、第２バックライト４３Ｅは、赤色光およびシアン色光を射出する。
【００８４】
図１７は、第１センサ７１Ｅの平面図である。
第１センサ７１Ｅは、赤色光を検出する複数の赤色光センサ７１３と、シアン色光を検出する複数のシアン色光センサ７１４と、が２行７列のマトリクス状に交互に配置されて構成される。
【００８５】
図１８は、第２センサ７２Ｅの平面図である。
第２センサ７２Ｅは、青色光を検出する複数の青色光センサ７２３と、緑色光を検出する複数の緑色光センサ７２４と、が２行７列のマトリクス状に交互に配置されて構成される。
【００８６】
図１９は、表示領域２２Ｅにバックライトユニット４０Ｅを重ねた状態を示す概略平面図および側面図である。
第１導光部４４の各第１副導光部４４２は、一直線状に配置された第１フィルタ群６１Ｅの裏面に沿って延びている。第２導光部４５の第２副導光部４５２は、一直線状に配置された第２フィルタ群６２Ｅの裏面に沿って延びている。
【００８７】
したがって、本実施形態によれば、第５実施形態と同様の効果がある。
【００８８】
＜７．応用例＞
（１）上述した各実施形態では、第１フィルタ群６１、６１Ａを赤（Ｒ）および緑（Ｇ）のカラーフィルタ２４Ｒ、２５Ｒ、２４Ｇ、２５Ｇで構成し、第２フィルタ群６２、６２Ａを青（Ｂ）およびシアン（Ｃ）のカラーフィルタ２４Ｂ、２５Ｂ、２４Ｃ、２５Ｃで構成したが、これに限らない。すなわち、第１フィルタ群を赤（Ｒ）およびシアン（Ｃ）のカラーフィルタで構成し、第２フィルタ群を青（Ｂ）および緑（Ｇ）のカラーフィルタで構成してもよい。また、第１フィルタ群を赤（Ｒ）および青（Ｂ）のカラーフィルタで構成し、第２フィルタ群を緑（Ｇ）およびシアン（Ｃ）のカラーフィルタで構成してもよい。
【００８９】
（２）上述した各実施形態では、画素２３、２３Ａを赤（Ｒ）、緑（Ｇ）、青（Ｂ）およびシアン（Ｃ）の４種類のカラーフィルタ２４Ｒ、２５Ｒ、２４Ｇ、２５Ｇ、２４Ｂ、２５Ｂ、２４Ｃ、２５Ｃで構成したが、これに限らない。すなわち、各画素を赤（Ｒ）、緑（Ｇ）、および青（Ｂ）の３種類のカラーフィルタで構成してもよい。
【００９０】
この場合、第１フィルタ群を青（Ｂ）および緑（Ｇ）のカラーフィルタで構成し、第２フィルタ群を赤（Ｒ）のカラーフィルタで構成してもよい。また、第１フィルタ群を赤（Ｒ）および緑（Ｇ）のカラーフィルタで構成し、第２フィルタ群を青（Ｂ）のカラーフィルタで構成してもよい。また、第１フィルタ群を赤（Ｒ）および青（Ｂ）のカラーフィルタで構成し、第２フィルタ群を緑（Ｇ）のカラーフィルタで構成してもよい。
【００９１】
（３）上述した第５実施形態の第１センサ７１では、赤色光センサ７１１と緑色光センサ７１２とを、２行７列のマトリクス状に交互に配置したが、これに限らず、図２０に示すように、４行７列のマトリクス状に配置してもよい。このようにすれば、第１センサの塵埃の付着に対する耐性をさらに向上できる。
また、同様に、第２センサ７２では、青色光センサ７２１とシアン色光センサ７２２とを、２行７列のマトリクス状に交互に配置したが、これに限らず、図２１に示すように、４行７列のマトリクス状に配置してもよい。
また、図示しないが、第６実施形態の第１センサ７１Ｅおよび第２センサ７２Ｅについても、同様に、光センサ７１３、７１４、７２３、７２４を４行７列に配置してもよい。
【００９２】
（４）上述した各実施形態では、シアン色を射出するシアン（Ｃ）のＬＥＤ４３２、４３４を用いたが、代わりに、この緑色光を射出する緑（Ｇ）のＬＥＤ（Ｇ）４２２、４２４を用いてもよい。
【００９３】
（５）上述した各実施形態における、赤（Ｒ）の補色であるシアン（Ｃ）のカラーフィルタ２４Ｒ、２５Ｒの代わりに、緑（Ｇ）および青（Ｂ）のうちいずれかの補色のカラーフィルタを含んで構成してもよい。
【００９４】
＜８．電子機器＞
次に、上述した実施形態および応用例に係る電気光学装置１を適用した電子機器について説明する。
図２２は、電気光学装置１を適用した携帯電話機の構成を示す斜視図である。携帯電話機３０００は、複数の操作ボタン３００１およびスクロールボタン３００２、ならびに表示ユニットとしての電気光学装置１を備える。スクロールボタン３００２を操作することによって、電気光学装置１に表示される画面がスクロールされる。
【００９５】
なお、電気光学装置１が適用される電子機器としては、図２２に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等が挙げられる。そして、これらの各種電子機器の表示部として、前述した電気光学装置１が適用可能である。
【図面の簡単な説明】
【００９６】
【図１】本発明の第１実施形態に係る電気光学装置の全体構成を示す斜視図である。
【図２】図１のＺ−Ｚ´断面図である。
【図３】前記電気光学装置の表示領域の概略平面図である。
【図４】（ａ）は、前記電気光学装置を構成するバックライトユニットの概略平面図であり、（ｂ）は、その側面図である。
【図５】（ａ）は、前記電気光学装置の表示領域に前記バックライトユニットを重ねた状態を示す概略平面図であり、（ｂ）は、その側面図である。
【図６】本発明の第２実施形態に係る表示領域の概略平面図である。
【図７】（ａ）は、前記電気光学装置を構成するバックライトユニットの概略平面図であり、（ｂ）は、その側面図である。
【図８】（ａ）は、前記電気光学装置の表示領域に前記バックライトユニットを重ねた状態を示す概略平面図であり、（ｂ）は、その側面図である。
【図９】（ａ）は、本発明の第３実施形態に係るバックライトユニットの概略平面図であり、（ｂ）は、その側面図である。
【図１０】（ａ）は、本発明の第４実施形態に係るバックライトユニットの概略平面図であり、（ｂ）は、その側面図である。
【図１１】本発明の第５実施形態に係る電気光学装置の制御回路のブロック図である。
【図１２】（ａ）は、前記電気光学装置を構成するバックライトユニットの第１センサおよび第２センサが取り付けられた状態を示す概略平面図であり、（ｂ）は、その側面図である。
【図１３】前記電気光学装置の第１センサの平面図である。
【図１４】前記電気光学装置の第２センサの平面図である。
【図１５】本発明の第６実施形態に係る電気光学装置の表示領域の概略平面図である。
【図１６】（ａ）は、前記電気光学装置を構成するバックライトユニットの第１センサおよび第２センサが取り付けられた状態を示す概略平面図であり、（ｂ）は、その側面図である。
【図１７】前記電気光学装置の第１センサの平面図である。
【図１８】前記電気光学装置の第２センサの平面図である。
【図１９】（ａ）は、前記電気光学装置の表示領域に前記バックライトユニットを重ねた状態を示す概略平面図であり、（ｂ）は、その側面図である。
【図２０】本発明の応用例に係る電気光学装置の第１センサの平面図である。
【図２１】本発明の応用例に係る電気光学装置の第１センサの平面図である。
【図２２】前記電気光学装置を適用した携帯電話の構成を示す斜視図である。
【図２３】従来例に係る電気光学装置を構成するカラーフィルタの光透過特性を示す図である。
【図２４】従来例に係る３色ＬＥＤの輝度特性を示す図である。
【図２５】従来例に係る冷陰極管の輝度特性を示す図である。
【図２６】従来例に係る３色ＬＥＤをバックライトとして用いた場合の各サブ画素の輝度特性である。
【図２７】従来例に係る冷陰極蛍光管をバックライトとして用いた場合の各サブ画素の輝度特性である。
【符号の説明】
【００９７】
１…電気光学装置、２２、２２Ａ…表示領域（表示部）、２３、２３Ａ…画素、２４Ｒ、２４Ｇ、２４Ｂ、２４Ｃ、２５Ｒ、２５Ｇ、２５Ｂ、２５Ｃ…カラーフィルタ、４１…面状導光板（導光部）、４２、４２Ｂ、４２Ｃ…バックライト（第１サブ光源）、４３、４３Ｂ、４３Ｃ…バックライト（第２サブ光源）、４４…第１導光部、４５…第２導光部、６１、６１Ａ…第１フィルタ群、６２、６２Ａ…第２フィルタ群、７１、７１Ｅ…  第１センサ（第１検出手段）、７２、７２Ｅ…        第２センサ（第２検出手段）、８１…コントローラ（制御手段）、８２…ＰＷＭ制御回路（制御手段）、４２１…赤のＬＥＤ（赤色光源）、４２２…緑のＬＥＤ（緑色光源）、４２３…青のＬＥＤ（青色光源）、４２４…緑のＬＥＤ（緑色光源）、４３１…青のＬＥＤ（青色光源）、４３２…シアンのＬＥＤ（シアン色光源）、４３３…赤のＬＥＤ（赤色光源）、４３４…シアンのＬＥＤ（シアン色光源）、７１１…赤色光センサ（赤色光検出手段）、７１２…緑色光センサ（緑色光検出手段）、７１３…赤色光センサ（赤色光検出手段）、７１４…シアン色光センサ（シアン色光検出手段）、７２１…青色光センサ（青色光検出手段）、７２２…シアン色光センサ（シアン色光検出手段）、７２３…青色光センサ（青色光検出手段）、７２４…緑色光センサ（緑色光検出手段）。
【図１】
2006323332.tif 000003
【図２】
2006323332.tif 000004
【図３】
2006323332.tif 000005
【図４】
2006323332.tif 000006
【図５】
2006323332.tif 000007
【図６】
2006323332.tif 000008
【図７】
2006323332.tif 000009
【図８】
2006323332.tif 000010
【図９】
2006323332.tif 000011
【図１０】
2006323332.tif 000012
【図１１】
2006323332.tif 000013
【図１２】
2006323332.tif 000014
【図１３】
2006323332.tif 000015
【図１４】
2006323332.tif 000016
【図１５】
2006323332.tif 000017
【図１６】
2006323332.tif 000018
【図１７】
2006323332.tif 000019
【図１８】
2006323332.tif 000020
【図１９】
2006323332.tif 000021
【図２０】
2006323332.tif 000022
【図２１】
2006323332.tif 000023
【図２２】
2006323332.tif 000024
【図２３】
2006323332.tif 000025
【図２４】
2006323332.tif 000026
【図２５】
2006323332.tif 000027
【図２６】
2006323332.tif 000028
【図２７】
2006323332.tif 000029